【事件の表示】
　特願２０１５−１３５０５７「光学構造物及びその光学構造物を組み込んだディスプレイシステム」拒絶査定不服審判事件〔平成２８年　１月１４日出願公開、特開２０１６−　　６５０９、請求項の数（１）〕について、次のとおり審決する。
【結　論】
　原査定を取り消す。
　本願の発明は、特許すべきものとする。
【理　由】
１　手続の経緯
　本願は、２０１０年（平成２２年）４月１５日（パリ条約による優先権主張外国庁受理２００９年４月１５日）を国際出願日とする特願２０１２−５０６１９８号の一部を、平成２７年７月６日に新たな特許出願としたものであって、同年８月５日に上申書の提出とともに手続補正がなされ、平成２８年６月２３日付けで拒絶理由が通知され、同年１２月２８日に意見書の提出とともに手続補正がなされ、平成２９年５月３０日付けで拒絶理由が通知され、同年１２月６日に意見書の提出とともに手続補正がなされ、平成３０年５月２９日付けで拒絶査定（以下、「原査定」という。）がされ、これに対し同年１０月４日に拒絶査定不服審判の請求と同時に手続補正がなされたものである。
　その後、平成３０年１１月２９日付けで拒絶理由（以下、「当審拒絶理由」という。）が通知され、令和元年５月２４日に意見書の提出とともに手続補正（以下、「本件補正」という。）がなされた。
２　本件発明
　本願の請求項１に係る発明（以下、「本件発明」という。）は、本件補正により補正された特許請求の範囲の請求項１に記載された事項により特定される、以下のとおりの発明である。
「　一体的構造を有する光学スタックであって、
　光学構造物と、
　前記光学構造物に接着されて該光学構造物に積層された吸収偏光子層と、を備え、
　前記光学構造物は、
　　結合剤、および該結合剤の内部に分散された複数のボイドを有し、１０％以下の光学ヘイズを有する、光学フィルムと、
　　前記結合剤に物理的に接触するように該結合剤に積層された反射偏光子層と、を有し、
　　前記光学フィルムの側から光を照射した場合に１．２以上の軸方向輝度ゲインを有するように構成され、
　前記光学フィルムは、前記吸収偏光子層と前記反射偏光子層との間に配設され、
　前記吸収偏光子層は、前記結合剤に接着される、光学スタック。」
３　原査定の概要
　原査定の拒絶の理由の概要は、この出願の請求項１〜５に係る発明は、その優先権主張の日前に日本国内又は外国において、頒布された刊行物である引用文献６に記載された発明及び引用文献７及び引用文献８に記載された周知技術に基づいて、その優先権主張の日前にその発明の属する技術の分野における通常の知識を有する者が容易に発明をすることができたものであるから、特許法第２９条第２項の規定により特許を受けることができない、というものである。
引用文献６：特表２００８−５１７３２８号公報
引用文献７：特表２０００−５０６９９２号公報（周知技術）
引用文献８：特開２０００−３５２６２３号公報（周知技術）
４　当審拒絶理由の概要
　当審拒絶理由の概要は、以下のとおりである。
理由１（明確性）
　本件出願は、特許請求の範囲の記載が、特許法第３６条第６項第２号に規定する要件を満たしていない。 
理由２（進歩性）
　本件出願の請求項１、３〜５に係る発明は、その優先権主張の日前に日本国内又は外国において、頒布された刊行物である引用文献Ａに記載された発明及び引用文献Ｂ〜Ｇに記載された周知技術に基づいて、その優先権主張の日前にその発明の属する技術の分野における通常の知識を有する者が容易に発明をすることができたものであるから、特許法第２９条第２項の規定により特許を受けることができない。 
引用文献Ａ：特開２００７−３０４４６０号公報 
引用文献Ｂ：特表２００８−５１７３２８号公報（周知技術） 
引用文献Ｃ：特表２００７−５０２０１０号公報（周知技術） 
引用文献Ｄ：国際公開第２００８／０４２４５７号（周知技術） 
引用文献Ｅ：登録実用新案第３１２８３９７号公報（周知技術） 
引用文献Ｆ：特開２０００−３５２６２３号公報（周知技術） 
引用文献Ｇ：特表２０００−５０６９９２号公報（周知技術） 
５　引用発明
（１）引用文献６の記載事項
　原査定の拒絶の理由に引用され、本願優先権主張の日前の平成２０年５月２２日に頒布された刊行物である引用文献６（特表２００８−５１７３２８号公報）には、図面とともに、以下の記載事項がある。なお、合議体が発明の認定等に用いた箇所に下線を付した。
ア　「【技術分野】
【０００１】
　本発明は、光ディスプレイに関し、より具体的には液晶ディスプレイ（ＬＣＤ）モニターおよびＬＣＤテレビジョンに使用することができるＬＣＤに関する。
　　　　　　　　　　　　　　　（中略）
【０００３】
　一部のＬＣＤモニターおよび大部分のＬＣＤ−ＴＶは、一般に背後から複数個の冷陰極蛍光ランプ（ＣＣＦＬ）によって照らされる。これらの光源は直線上に並んでおり、そのディスプレイの全幅にわたって広がり、その結果そのディスプレイの背面は、暗い領域によって分離された一連の明るい縞によって照らされる。
このような照明の輪郭は望ましいものではなく、したがってディフューザープレートがＬＣＤデバイスの背面における照明の輪郭を滑らかにするために用いられる。
【発明の開示】
【発明が解決しようとする課題】
【０００４】
　現在、ＬＣＤ−ＴＶのディフューザープレートは、ガラス、ポリスチレンビード、およびＣａＣＯ3粒子を含めた様々な分散相を有するポリメチルメタクリラート（ＰＭＭＡ）のポリマー母材を使用している。これらのプレートはランプの高温にさらされたのち変形または反ることが多い。さらに拡散プレートのなかには、ＬＣＤパネルの背面における照明の輪郭をより均一にしようとしてその幅全体にわたって空間的に異なる拡散特性を備えたものもある。このような一様でないディフューザーは印刷型パターンディフューザーと呼ばれることがある。これらは製造に費用がかかり、かつ組立時にその拡散用の形模様を照明源に位置合わせしなければならないので製造コストを増加させる。さらにディフューザープレートは、拡散粒子をそのポリマー母材全体に一様に分配するようにカスタマイズされた押出し配合を必要とし、これがさらにコストを増加させる。
【課題を解決するための手段】
【０００５】
　本発明の一実施形態は、光源と、上側のプレート、下側のプレート、およびこの上側のプレートと下側のプレートとの間に配置された液晶層を含むＬＣＤパネルとを有する液晶ディスプレイ（ＬＣＤ）装置に関する。この下側のプレートは光源に面し、吸収偏光子を含む。光源が光管理フィルム（ｌｉｇｈｔ  ｍａｎａｇｅｍｅｎｔ  ｆｉｌｍ）配列を介してＬＣＤパネルを照らすように、光管理フィルム配列が光源とＬＣＤパネルとの間に配置される。この光管理フィルム配列はＬＣＤパネルの下側のプレートに取り付けられ、その光管理フィルム配列は少なくとも第一ディフューザー層を含む。」
イ　「【００１４】
　本発明は、ＬＣＤパネル自体と光源との間に位置付けられた光管理層配列を有する直接照明ＬＣＤデバイスに関する。この光管理層配列は、剛性の有機または無機基板と、その基板の片面に直接隣接し、特定の透過およびヘイズレベルを持つポリマー体積の拡散用シートとを有するディフューザープレートを含む。別のポリマー体積の拡散用シートを基板のもう一方の面上に配置することもできる。
各構成部品の透過およびヘイズレベルは、明るさがそのディスプレイ全体にわたって比較的均一な直接照光ＬＣディスプレイを実現するように設計される。
ウ　「【００２１】
　光管理層配列１２０は、バックライト１１２とＬＣパネル１０２との間に位置付けられる。これら光管理層は、ディスプレイデバイス１００の動作を改善するようにバックライト１１２から伝搬する光に作用する。例えば、光管理層配列１２０はディフューザープレート１２２を含むことができる。
ディフューザープレート１２２は光源から受ける光を拡散させるために用いられ、ＬＣパネル１０２上に入射する照明光の均一性の増大をもたらす。その結果、これはより一様で明るいと観察者が分かる像をもたらす。
【００２２】
　光管理層配列１２０はまた、反射偏光子１２４を含むこともできる。光源１１６は一般に偏光していない光を生ずるが、下側の吸収偏光子１１０は単偏光状態のみを透過させるので、光源１１６が発生する光の約半分はＬＣ層１０４まで透過してこない。しかしながら反射偏光子１２４を用いて普通なら下側の吸収偏光子中で吸収されるはずの光を反射させることができるので、この光を反射偏光子１２４とレフレクター１１８との間の反射によって再利用することができる。反射偏光子１２４によって反射される光の少なくとも一部は偏光を解消され、続いて反射偏光子１２４および下側の吸収偏光子１１０を通ってＬＣ層１０４へ向けて透過する偏光状態で反射偏光子１２４に戻すことができる。この方法では反射偏光子１２４を用いて、光源１１６によって放射された、ＬＣ層１０４に達する光の分率を増すことができるので、ディスプレイデバイス１００によって生じる像がより明るくなる。」
エ　「【００３５】
　
ディフューザー層２０４の具体例としての実施形態は、拡散粒子を含有するポリマー母材を含む
【００３６】
　
この拡散粒子は、
光を拡散させるためにポリマー母材中の空洞を用いること
【００３７】
　ディフューザー層２０４は、例えばそのディフューザー層２０４のポリマー母材が接着剤である場合、基板２０２の表面に直接塗布することができる。具体例としての別の実施形態ではディフューザー層２０４は、図２Ｂに図式的に示すように接着剤層２０６を用いて基板２０２の表面に付着させることもできる。具体例としての幾つかの実施形態ではディフューザー層２０４は、その幅全体にわたって均質な拡散特性を有する。換言すればそのディフューザーを通過する光が受ける拡散の量はそのディフューザー層の幅の至る所で同一である。」
オ　「【００６８】
　具体例としての幾つかの実施形態ではＬＣＤパネルの下側のプレート自体をディフューザー層および他の光学層を支える基板として用いることができる。図５Ａに
ＬＣＤパネル１０２がＬＣ層１０４および上側と下側のプレート１０６ａ、１０６ｂを含む
プレート１０６ａ、１０６ｂは一般にはガラスまたは厚いポリマーから作られ、また吸収偏光子を含むこと
【００６９】
　他の層が、ＬＣＤパネル１０２に取り付けられた光管理装置５０２中にさらに存在してもよい。例えば、追加の基板を光管理装置５０２内に置くことができる。
【００７０】
　
図５Ｂに図式的に示すディスプレイアセンブリ５２０の具体例
反射偏光子層５０８がそのディフューザー層５２２の下側の表面に取り付けられた状態で下側の偏光子１０６ｂに直接取り付けられる
　なお、図５Ａ〜図５Ｃは、以下に示すものである。
（２）引用文献６に記載された発明
　引用文献６の記載事項エには、「ディフューザー層２０４の具体例としての実施形態は、拡散粒子を含有するポリマー母材を含む」と記載されており、この「拡散粒子」として、「光を拡散させるためにポリマー母材中の空洞を用いること」も記載されている。また、引用文献６の記載事項オには、「ＬＣＤパネル１０２がＬＣ層１０４および上側と下側のプレート１０６ａ、１０６ｂを含む」こと、「プレート１０６ａ、１０６ｂは一般にはガラスまたは厚いポリマーから作られ、また吸収偏光子を含むこと」が記載されている。そして、「図５Ｂに図式的に示すディスプレイアセンブリ５２０の具体例」として、「反射偏光子層５０８がそのディフューザー層５２２の下側の表面に取り付けられた状態で下側の偏光子１０６ｂに直接取り付けられる」ことが記載されている。
　そうすると、引用文献６には、「光を拡散させるためにポリマー母材中の空洞を用い」た「ディフューザー層」を、「図５Ｂ」に示す「ディスプレイアセンブリ」とした、次の発明（以下、「引用発明」という。）が記載されていると認められる。
「反射偏光子層がディフューザー層の下側の表面に取り付けられた状態で、ディフューザー層がＬＣＤパネルの下側の吸収偏光子に直接取り付けられるディスプレイアセンブリであって、ディフューザー層は、拡散粒子を含有するポリマー母材を含み、この拡散粒子は、光を拡散させるためにポリマー母材中の空洞を用いたものである、ディスプレイアセンブリ。」
６　対比・判断
（１）対比
　本件発明と引用発明とを対比する。
ア　引用発明の「ディフューザー層」は、「光を拡散させるためにポリマー母材中の空洞を用いた」ものである「拡散粒子」と、その拡散粒子を含有する「ポリマー母材」を含むものである。
　ここで、引用発明の「ポリマー母材」及び「光を拡散させるため」の「ポリマー母材中の空洞」は、それぞれ、本件発明の「結合剤」及び「結合剤の内部に分散された複数のボイド」に相当する。そして、引用発明の「ディフューザー層」は、本件発明の「光学フィルム」に該当する。
　したがって、引用発明の「ディフューザー層」と本件発明の「結合剤、および該結合剤の内部に分散された複数のボイドを有し、１０％以下の光学ヘイズを有する、光学フィルム」とは、「結合剤、および該結合剤の内部に分散された複数のボイドを有する、光学フィルム」である点で共通する。
イ　引用発明の「反射偏光子層」は、技術的役割からみて、本件発明の「反射偏光子層」に相当する。
　そして、引用発明の「反射偏光子層」は、「反射偏光子層がディフューザー層の下側の表面に取り付けられた状態」にある。そうしてみると、引用発明の「反射偏光子層」は、本件発明の「反射偏光子層」の「前記結合剤に物理的に接触するように該結合剤に積層された」とする要件を満たしている。
　また、引用発明の「ディフューザー層」と「反射偏光子層」とは、本件発明の「光学構造物」を構成するといえる。
ウ　引用発明の「吸収偏光子」は、技術的役割からみて、本件発明の「吸収偏光子層」に相当する。
　そして、引用発明の「ディスプレイアセンブリ」は、「ディフューザー層がＬＣＤパネルの下側の吸収偏光子に直接取り付けられる」ものである。そして、「ディフューザー層」と「吸収偏光子」とが「直接」取り付けられていることから、「ディフューザー層」の「ポリマー母材」と、「吸収偏光子」とが接しているといえる。
　そうすると、引用発明の「吸収偏光子」は、本件発明の「吸収偏光子層」における「前記光学構造物に接着されて該光学構造物に積層された」とする要件を満たす。また、引用発明の「吸収偏光子」は、本件発明の「吸収偏光子層」における「前記吸収偏光子層は、前記結合剤に接着される」とする要件を満たしている。
エ　引用発明の「ディスプレイアセンブリ」は、「反射偏光子層がディフューザー層の下側の表面に取り付けられた状態で、ディフューザー層がＬＣＤパネルの下側の吸収偏光子に直接取り付けられる」ものである。そうすると、引用発明の「ディスプレイアセンブリ」は、「ディフューザー層」と「反射偏光子層」とからなる「光学構造物」と、「吸収偏光子」とを備えているといえる。したがって、引用発明の「ディスプレイアセンブリ」は、本件発明の「一体的構造を有する光学スタック」に相当し、本件発明の「光学構造物」と、「前記光学構造物に接着されて該光学構造物に積層された吸収偏光子層と、を備え」るとする要件を満たしている。
　また、引用発明の「ディフューザー層」は、本件発明の「光学フィルム」における「前記吸収偏光子層と前記反射偏光子層との間に配設され」るとする要件を満たしている。
オ　以上より、本件発明と引用発明とは、
「　一体的構造を有する光学スタックであって、
　光学構造物と、
　前記光学構造物に接着されて該光学構造物に積層された吸収偏光子層と、を備え、
　前記光学構造物は、
　　結合剤、および該結合剤の内部に分散された複数のボイドを有する、光学フィルムと、
　　前記結合剤に物理的に接触するように該結合剤に積層された反射偏光子層と、を有し、
　前記光学フィルムは、前記吸収偏光子層と前記反射偏光子層との間に配設され、
　前記吸収偏光子層は、前記結合剤に接着される、光学スタック。」である点で一致し、以下の点で相違する。
［相違点１］本件発明は、光学フィルムが、「１０％以下の光学ヘイズ」を有するのに対し、引用発明は「ディフューザー層」が、どの程度のヘイズを有するかを特定していない点。
［相違点２］光学構造物について、光学フィルムの側から光を照射した場合の軸方向輝度ゲインが、本件発明は、「１．２以上」であるのに対し、引用発明は、どの程度の軸方向輝度ゲインを有するかを特定していない点。
（２）判断
　前記［相違点１］について検討する。
　引用発明の「ディフューザー層」は、「光を拡散させるためにポリマー母材中の空洞を用いた」「拡散粒子」を含有するものである。そして、引用文献１の記載事項ウには、「ディフューザープレート１２２は光源から受ける光を拡散させるために用いられ、ＬＣパネル１０２上に入射する照明光の均一性の増大をもたらす。その結果、これはより一様で明るいと観察者が分かる像をもたらす。」と記載されており、記載事項イには、「各構成部品の透過およびヘイズレベルは、明るさがそのディスプレイ全体にわたって比較的均一な直接照光ＬＣディスプレイを実現するように設計される。」と記載されている。そして、背景技術として記載事項アに「このような照明の輪郭は望ましいものではなく、したがってディフューザープレートがＬＣＤデバイスの背面における照明の輪郭を滑らかにするために用いられる。」と記載されていることを鑑みれば、引用発明の「ディフューザー層」は、その名称のとおり、透過する光を拡散させる機能を有するものであり、照明の輪郭を滑らかにし、照明光の均一性を増大させるものといえる。そうすると、引用発明の「ディフューザー層」は、本願の明細書の段落【００２５】に、「光学ヘイズは、本明細書で用いるとき、垂直方向から４度超で逸脱する透過光と全透過光との比として定義されるものである。」と定義される光学ヘイズについて、照明の輪郭が滑らかとなるように、大きな値とするように設定されるべきものである。
　したがって、当業者であっても、引用発明において、「ディフューザー層」を、「１０％以下の光学ヘイズ」を有するものとすることは、容易になし得たということはできない。
　以上より、［相違点２］について検討するまでもなく、本件発明は、当業者が、引用発明に基づいて容易に発明をすることができたということはできない。
７　原査定及び当審拒絶理由についての判断
　前記６に記載したとおりであるから、本件補正により補正された本件発明は、当業者が、引用発明に基づいて容易に発明をすることができたものとはいえない。
　当審拒絶理由の理由１（明確性）は、令和元年５月２４日に提出された意見書における主張により解消された。また、理由２（進歩性）は、対象とされた請求項が、本件補正により削除された。
８　むすび
　以上のとおりであるから、本件発明は、当業者が引用発明に基づいて容易に発明をすることができたものではない。
　したがって、原査定の理由によっては、本願を拒絶することはできない。
　また、他に本願を拒絶すべき理由を発見しない。
　よって、結論のとおり審決する。